(57)【特許請求の範囲】
【請求項１】
画像情報を含むメイン情報をランダムアクセス可能な記録媒体へ記録し、該記録媒体に記録されたメイン情報を再生するビデオ記録再生装置において、
前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行い、
前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、
前記コントロール情報は前記メイン情報と前記サブ情報との間の相互関連を認識するための情報と前記メイン情報および前記サブ情報の記録位置を示す情報とを含むことを特徴とするビデオ記録再生装置。
【請求項２】
前記コントロール情報を記録する所定領域として、前記既に記録されているメイン情報記録領域に続く識別領域と前記追加記録されるサブ情報の記録領域に続く識別領域とが設定されていることを特徴とする請求項１記載のビデオ記録再生装置。
【請求項３】
前記再生時には、前記コントロール情報に基づき前記メイン情報の再生と連動して前記サブ情報の再生を行うことを特徴とする請求項１記載のビデオ記録再生装置。
【請求項４】
前記サブ情報を前記メイン情報が記録されている記録媒体に記録することを特徴とする請求項１記載のビデオ記録再生装置。
【請求項５】
前記サブ情報は画像情報を含むことを特徴とする請求項１記載のビデオ記録再生装置。
【請求項６】
前記再生時に再生された情報を表示するための表示手段を有し、前記再生時には、前記メイン情報と前記サブ情報とを合成して前記表示手段に表示可能であることを特徴とする請求項１記載のビデオ記録再生装置。
【請求項７】
前記サブ情報の追加記録時には、前記メイン情報と前記サブ情報とを合成して前記表示手段に表示可能であることを特徴とする請求項６記載のビデオ記録再生装置。
【請求項８】
前記サブ情報の表示の有無を選択する表示選択手段を有することを特徴とする請求項６または７記載のビデオ記録再生装置。
【請求項９】
前記サブ情報を前記記録媒体に記録する際には、前記サブ情報を間引き処理により縮小して前記記録媒体に記録することを特徴とする請求項１記載のビデオ記録再生装置。
【請求項１０】
画像情報を含むメイン情報をランダムアクセス可能な記録媒体へ記録し、該記録媒体に記録されたメイン情報を再生するビデオ記録再生方法において、
前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行い、
前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、
前記コントロール情報は前記メイン情報と前記サブ情報との間の相互関連を認識するための情報と前記メイン情報および前記サブ情報の記録位置を示す情報とを含むことを特徴とするビデオ記録再生方法。
【請求項１１】
前記コントロール情報を記録する所定領域として、前記既に記録されているメイン情報記録領域に続く識別領域と前記追加記録されるサブ情報の記録領域に続く識別領域とが設定されていることを特徴とする請求項１０記載のビデオ記録再生方法。
【請求項１２】
前記再生時には、前記コントロール情報に基づき前記メイン情報の再生と連動して前記サブ情報の再生を行うことを特徴とする請求項１０記載のビデオ記録再生方法。
【請求項１３】
前記サブ情報を前記メイン情報が記録されている記録媒体に記録することを特徴とする請求項１０記載のビデオ記録再生方法。
【請求項１４】
前記サブ情報は画像情報を含むことを特徴とする請求項１０記載のビデオ記録再生方法。
【請求項１５】
前記再生時には、前記メイン情報と前記サブ情報とを合成して表示手段に表示可能であることを特徴とする請求項１０記載のビデオ記録再生方法。
【請求項１６】
前記サブ情報の追加記録時には、前記メイン情報と前記サブ情報とを合成して前記表示手段に表示可能であることを特徴とする請求項１５記載のビデオ記録再生方法。
【請求項１７】
前記サブ情報の表示の有無を選択可能であることを特徴とする請求項１５または１６記載のビデオ記録再生方法。
【請求項１８】
前記サブ情報を前記記録媒体に記録する際には、前記サブ情報を間引き処理により縮小して前記記録媒体に記録することを特徴とする請求項１０記載のビデオ記録再生方法。
【発明の詳細な説明】
【０００１】
【発明の属する技術分野】
本発明は、画像情報などを含むメイン情報をランダムアクセス可能な記録媒体へ記録し、該記録媒体に記録されたメイン情報を再生するビデオ記録再生装置およびその方法に関する。
【０００２】
【従来の技術】
一般に、画像および音声を記録するカメラ一体型記録装置としては、アナログ記録方式ビデオカメラ（８ミリ方式ビデオカメラ、ＶＨＳ方式ビデオカメラ）、デジタル記録方式ビデオカメラ（ＤＶＣ）など、記録媒体に磁気テープの記録媒体を用いる記録装置が知られている。
【０００３】
また、近年、ＨＤ（hard disk ）、ＤＶＤ（digital video disc）、ＭＯ（magneto-optical disc）、ＣＤ−Ｒ（compact disc-recordable ）、ＤＶＤ（digital video disc）などの大容量の記憶媒体が登場し、これらの記憶媒体を用いた記録再生装置が製品化されている。特に、１９９６年に大記憶容量を有するＤＶＤが出現したことにより、このＤＶＤを用いた記録装置が注目を浴びている。
【０００４】
ＤＶＣ、またはＤＶＤを用いた記録装置では、映像データを圧縮して記録することによって記録可能データ量の大容量化が図られている。具体的には、ＤＶＣでは、ＤＶＣ方式とも呼ばれるＤＣＴとＶＬＣとを用いた帯域圧縮方式による圧縮方式が、ＤＶＤを用いた記録装置では、動画圧縮技術として標準化されているＭＰＥＧ（ＭＰＥＧ−２）による圧縮方式がそれぞれ採用されている。
【０００５】
【発明が解決しようとする課題】
しかし、ＤＶＣなどの記録媒体に磁気テープを用いた記録装置または記録再生装置では、所望のシーンを磁気テープの所定位置に記録しまたは磁気テープ上の所定位置に記録したシーンを再生する場合には、磁気テープを所定位置まで搬送する必要があるから、この所定位置までの搬送に時間が掛かるなど、磁気テープ上の所定位置へのアクセスを高速に行うことができない。また、既に画像データが記録されている磁気テープ上に新規の画像データを記録するときには、新規の画像データを記録済みの画像データに上書きするか、または記録済みの画像データの終了位置から新規の画像データの記録を行う必要があるから、例えば、記録済みの画像データとを関連付けながら新規の画像データを記録することができないなど、記録に関する自由度が低く、後に必要に応じて編集装置を用いて記録済みの画像データと新規の画像データとの関連付けを行う編集処理が必要である。
【０００６】
これに対し、ＤＶＤなどの記憶媒体においては、非常に高速なランダムアクセスが可能であること、その容量の大容量化、データの圧縮技術の進歩により、大容量のデータ記録可能な記録装置の実用化が図れている。また、さらに高速なランダムアクセスが可能である半導体などの固体メモリにおいては、その大容量化する技術が進歩し、この固体メモリを用いた大容量のデータ記録可能な記録装置の実用化が図れている。この固体メモリを用いた記録装置では、固体メモリを用いることによって、電力消費量の削減、装置の小型化、振動などに対する高い耐久性を得ることが可能であり、既に、静止画を固体メモリに記録するデジタルビデオカメラが製品化されている。また、上述したように、固体メモリの優れた特性として非常に高速なランダムアクセスが可能であることがあげられるから、動画を固体メモリに記録する記録装置を実現することによって、動画記録において記録に関して高い自由度が得られるなど、優れた有用性が得られることが期待される。
【０００７】
本発明の目的は、記録に関して高い自由度が得られるなど、優れた有用性を得ることができるビデオ記録再生装置およびビデオ記録再生方法を提供することにある。
【０００８】
【課題を解決するための手段】
本発明は、画像情報を含むメイン情報をランダムアクセス可能な記録媒体へ記録し、該記録媒体に記録されたメイン情報を再生するビデオ記録再生装置において、前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行い、前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、前記コントロール情報は前記メイン情報と前記サブ情報との間の相互関連を認識するための情報と前記メイン情報および前記サブ情報の記録位置を示す情報とを含むことを特徴とする。
【００１８】
本発明は、画像情報を含むメイン情報をランダムアクセス可能な記録媒体へ記録し、該記録媒体に記録されたメイン情報を再生するビデオ記録再生方法において、前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行い、前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、前記コントロール情報は前記メイン情報と前記サブ情報との間の相互関連を認識するための情報と前記メイン情報および前記サブ情報の記録位置を示す情報とを含むことを特徴とする。
【００２８】
【発明の実施の形態】
以下に本発明の実施の形態について図を参照しながら説明する。
【００２９】
（実施の第１形態）
図１は本発明のビデオ記録再生装置の実施の第１形態を示す外観図、図２は図１のビデオ記録再生装置の構成を示すブロック図、図３は図２の記録媒体におけるデータ記録状態とそのデータ構成を示す図、図４はメイン画像とサブ画像の表示例を示す図である。
【００３０】
ビデオ記録再生装置は、図１に示すように、被写体を撮像する光学レンズ２０２を含み、光学レンズ２０２を介して撮像した被写体像を電気信号に変換して出力する撮像手段２０１を備える。撮像手段２０１は光学レンズ２０２の光軸に対してチルト方向（図中の矢印方向）に回転可能に本体２０３に支持されている。本体２０３には、信号処理回路、半導体などの固体メモリからなる記録媒体、記録回路、再生回路などが内蔵されているとともに、その背面にはモニタ２０４が設けられている。
【００３１】
本実施の形態におけるビデオ記録再生装置では、記録媒体に既に記録されているメイン画像に対して関連するサブ画像を新たに追加記録するときには、メイン画像の再生と並行してサブ画像の記録を行い、再生時には、メイン画像の再生と連動してサブ画像の再生を行うことが可能なように構成されている。具体的には、記録媒体に既に記録されているメイン画像に対して関連するサブ画像を新たに追加記録するときには、メイン画像を再生してモニタ２０４上に表示し、この表示したメイン画像に関連付けて記録するサブ画像をモニタ２０４上にメイン画像とともに表示しながら記録することが可能である。また、再生時には、メイン画像の再生と連動してサブ画像の再生を行い、メイン画像とサブ画像とを同時にモニタ２０４上に表示することが可能である。このように、記録媒体に既に記録されているメイン画像に対して関連するサブ画像の追加記録時、または再生時には、メイン画像とそれに関連して記録されるサブ画像または再生されたサブ画像をピクチャアインピクチャア機能によりモニタ２０４上に同時に表示することが可能であり、このピクチャアインピクチャア機能により表示されるモニタ２０４上におけるサブ画像の表示領域２０５の位置は任意の設定可能なように構成されている。
【００３２】
このビデオ記録再生装置の構成においては、図２に示すように、上述した撮像手段２０１を構成する撮像系１と、撮像系１から出力された電気信号をデジタル信号に変換し、該デジタル信号に所定の信号処理（画像処理、画質調整処理）を施してビデオデータを生成するカメラ信号処理回路２とが設けられている。カメラ信号処理回路２により生成されたビデオデータはスイッチＳＷ１を介してその切換動作により間引き回路３または圧縮回路４および後述する加算器１５に出力される。スイッチＳＷ１の切換動作はシステムコントローラ８の指示に基づき制御され、間引き処理が必要であるときには、スイッチＳＷ１は入力したビデオデータを間引き回路３に出力するように制御される。ここで、間引き回路３により間引き処理が施されるビデオデータは、既に記録されているメイン画像データを成すビデオデータに関連するサブ画像データを成すビデオデータである。なお、メイン画像データを成すビデオデータを記録するときなどの通常記録時には、スイッチＳＷ１は入力したビデオデータを圧縮回路４に出力するように制御される。
【００３３】
間引き回路３は、システムコントローラ８から指示された縮小率に応じて入力されたビデオデータに対して間引き処理を行い、この間引き処理を施したビデオデータを圧縮回路４および後述するスイッチＳＷ２に出力する。圧縮回路４は、スイッチＳＷ１または間引き回路３を介して入力されたビデオデータを所定の方式で圧縮する。本実施の形態では、ＭＰＥＧ方式によりビデオデータの帯域圧縮を行う。
【００３４】
圧縮回路４で圧縮されたビデオデータは、記録処理回路５に入力される。また、記録処理回路５には、ＩＤ情報発生回路１０により発生されたＩＤ情報が入力される。記録処理回路５は、入力されたビデオデータとＩＤ情報とを調整して各データを所定の記録フォーマットに変換し、この所定の記録フォーマットに変換されたビデオデータおよびＩＤ情報はメモリ制御部１１により固体メモリからなる記録媒体６へ記録される。
【００３５】
ここで、ＩＤ情報発生回路１０は、システムコントローラ８の制御により、アドレス管理部９から与えられたアドレス情報に基づきＩＤ情報を発生し、このＩＤ情報は、トリガＯＮ，ＯＦＦなどに準じたタイムコード、記録時間とのトレードおよび選択された画質や音質モード、可変長の音声、映像の各データの先頭番地およびデータ長、一度記録したデータを消去する際に物理的なデリート処理の前に復帰可能な論理消去状態としてフラグにより通常の再生を禁止するための削除済フラグなどの基本情報とともに、記録しているサブ画像とその時に再生しているメイン画像とをリンクさせるためのコントロール情報とを含む。なお、このコントロール情報の詳細については後述する。
【００３６】
また、アドレス管理部９は、記録媒体６に対するビデオデータ、ＩＤ情報のそれぞれの書込みアドレス、読出しアドレスの各アドレス情報を管理する。メモリ制御部１１は、システムコントローラ８からの指示に基づき記録媒体６に対するビデオデータ、ＩＤ情報のそれぞれの書込み制御および読出し制御を行う。
【００３７】
メモリ制御部１１の読出し制御により記録媒体６から読み出されたビデオデータは再生処理回路１２に入力され、再生処理回路１２は読み出されたビデオデータに対する再生処理を行う。ここで、記録媒体６からメイン画像データを成すビデオデータとそれに関連付けられているサブ画像データを成すビデオデータとがそれぞれ読み出されて再生されたときには、メイン画像データを成すビデオデータは伸張回路１３で、サブ画像データを成すビデオデータは伸張回路１４でそれぞれ伸張（解凍）される。伸張回路１３で伸張されたビデオデータすなわちメイン画像データは加算器１５に入力され、伸張回路１４で伸張されたビデオデータすなわちサブ画像データはスイッチＳＷ２を介して加算器１５に入力される。スイッチＳＷ２は、サブ画像データをピクチャアインピクチャア機能により表示するときには、入り動作を行い、通常は断動作状態に保持されている。このスイッチＳＷ２の動作はシステムコントローラ８により制御される。また、スイッチＳＷ２には、記録時に、間引き回路３により間引き処理が施されたビデオデータすなわちサブ画像データが入力され、サブ画像データはスイッチＳＷ２の動作に応じて加算器１５に出力される。
【００３８】
加算器１５は、再生されたメイン画像データとスイッチＳＷ２の動作に応じて入力されたサブ画像データとを加算して出力する。加算器１５から出力されたビデオデータはＤＩＦ１８およびＤ／Ａ１６に入力される。ＤＩＦ１８は、ＩＥＥＥ１３９４などのデジタルインタフェースからなり、このインタフェースを介して端子１９から外部に加算器１５からのビデオデータを出力することが可能である。Ｄ／Ａ１６は、加算器１５からのビデオデータをアナログビデオ信号に変換してモニタ１７（図１のモニタ２０４に同じ）に出力される。
【００３９】
システムコントローラ８は、指示入力部７からの指示入力に基づき対応するモードを設定し、この設定されたモードを実行するように上述の各ブロックを制御する。この制御には、通常の記録制御、再生制御とともに、記録媒体６に既に記録されているメイン画像データの再生と並行してメイン画像データに関連するサブ画像データを追加記録するための制御と、記録媒体６からメイン画像データとそれに対して関連するサブ画像データとを再生して同時に表示するための制御とが含まれている。
【００４０】
なお、本実施の形態では、ビデオデータの記録、再生を行う構成のみを示し、ビデオデータと同様に、音声データの記録媒体６への記録、再生を行う構成を省略している。よって、ビデオデータと同時に音声データの記録媒体６への記録、再生を行うことが可能である。
【００４１】
次に、記録媒体６に既に記録されているメイン画像データの再生と並行してメイン画像データに関連するサブ画像データを追加記録する動作について説明する。
【００４２】
記録媒体６に既に記録されているメイン画像データの再生と並行してメイン画像データに関連付けるサブ画像データを追加記録するときには、記録媒体６からメイン画像データを再生しながらメイン画像データに関連付けられて記録する画像をサブ画像として撮像系１で撮像し、このサブ画像データに対してカメラ信号処理回路２で所定の信号処理を施した後にスイッチＳＷ１を介して間引き回路３に入力する。間引き回路３では、入力したサブ画像データに対して所定の縮小率になるように間引き処理が施され、この間引き処理が施されたサブ画像データはスイッチＳＷ２を介して加算器１５に入力されるとともに圧縮回路４に入力される。再生されたメイン画像データは伸張回路１３で伸張された後に加算器１５に入力され、加算器１５は、伸張回路１３からのメイン画像データと間引き回路３からスイッチＳＷ２を介して入力されたサブ画像データとを加算して合成画像データとして出力する。この合成画像データはＤＩＦ１８およびＤ／Ａ１６に入力され、Ｄ／Ａ１６からは合成画像データがアナログビデオ信号に変換されてモニタ１７に出力される。これにより、モニタ１７には、メイン画像とサブ画像とが合成されて表示されることになる。例えば、図４に示すように、モニタ１７の画面１０１には、メイン画像１０２と縮小されたサブ画像１０３とが合成して表示される。
【００４３】
なお、このサブ画像データの記録時には、スイッチＳＷ２を切断動作させることにより、撮像したサブ画像をモニタ１７に表示しないようにすることができる。この場合、モニタ１７には、メイン画像のみが表示されることになる。また、サブ画像データの記録時には、サブ画像データに付随する音声データも同時に記録されることはいうまでもない。さらに、サブ画像データに代えてメイン画像に関連付ける音声データのみを記録することもでき、この場合には、モニタ１７に表示されたメイン画像を表示してこのメインが像を確認しながら音声データの記録を行うことができる。さらに、サブ画像データに付随する音声データも同時に記録されることはいうまでもない。
【００４４】
これに対し、間引き回路３から圧縮回路４に入力されたサブ画像データはＭＰＥＧ方式により圧縮され、この圧縮されたデータは記録処理回路５でＩＤ情報発生回路１０からのＩＤ情報との調整が図られた後に、ＩＤ情報とともにメモリ制御部１１の書込み制御により記録媒体６に記録される。
【００４５】
ここで、記録媒体６におけるデータ構成と、ＩＤ情報を記録媒体６に記録する方法について説明する。
【００４６】
ＩＤ情報発生回路１０が発生するＩＤ情報は、図３に示すように、所定期間（Ｔ０）毎に発生され、記録媒体６のアドレス空間に各ビデオデータとともに格納される。ＩＤ情報がまず記録媒体６に格納され、続いて所定期間毎にデータ量が異なる音声データ（オーディオデータ）およびビデオデータが順に格納される。よって、ＩＤ情報の発生は一定期間（Ｔ０）毎に発生されるが、記録媒体６上では、図３に示すように等間隔にはならない。各ＩＤ情報に対するデータブロックの格納場所を示すアドレス（番地）はＩＤファイルにまとめて格納され、このＩＤファイルおよびアドレスの構成はアドレス管理部９で管理されている。このように、記録媒体６には、ＩＤ情報、音声データ（オーディオデータ）およびビデオデータを１組とするデータブロックを単位に記録される。
【００４７】
ＩＤ情報は、上述したように、タイムコード、記録時間とのトレードおよび選択された画質や音質モード、可変長の音声、映像の各データの先頭番地およびデータ長、削除済フラグなどの基本情報とともに、記録しているサブ画像データとその時に再生しているメイン画像データとをリンクさせるためのコントロール情報とを含み、このＩＤ情報のデータ長は固定長である。
【００４８】
このＩＤ情報に含まれるコントロール情報には、具体的には、ビデオデータがメイン画像データであるかサブ画像データであるかを示すメイン／サブフラグと、自身のデータがサブ画像データであるときには相手方のメイン画像データのアドレスを、自身のデータがメイン画像データであるときには相手方のサブ画像データのアドレスを示すサブ／メインアドレスデータとが書き込まれている。このコントロール情報の記録においては、サブ画像データの記録と並行してサブフラグと、その時に再生されているメイン画像データのアドレスとが記録される。また、再生されているメイン画像データに対する記録済みのＩＤ情報には、コントロール情報として、メインフラグと、今回記録されるサブ画像データのアドレスとが追加記録される。なお、メイン画像の記録時には、コントロール情報の発生、記録は行われないように設定されている。
【００４９】
次に、メイン画像データとサブ画像データとを同時に再生する動作について説明する。
【００５０】
記録媒体６からメイン画像データとサブ画像データとを同時に再生するときには、メモリ制御部１１の読出し制御によりＩＤ情報に基づき記録媒体６から再生対象となるメイン画像データを検索し、それのＩＤ情報に含まれるコントロール情報に基づき対応するサブ画像データを抽出する。読み出されたメイン画像データとサブ画像データとは再生処理回路１２で分配されて対応する伸張回路１３，１４にそれぞれ入力される。メイン画像データは伸張回路１３で伸張（解凍）された後に、サブ画像データは伸張回路１４で伸張（解凍）された後にスイッチＳＷ２を介して加算器１５にそれぞれ入力され、加算器１５では、メイン画像データとサブ画像データとを加算して合成画像データとして出力する。加算器１５から出力された合成画像データはＤ／Ａ１６によりアナログビデオ信号に変換された後にモニタ１７に出力され、例えば、図４に示すように、モニタ１７の画面１０１に、メイン画像１０２と縮小されたサブ画像１０３とが合成して表示される。また、合成画像データがＤＩＦ１８に出力されていることにより、ＤＩＦ１８を介して端子１９からメイン画像データとサブ画像データとを合成したデータを外部に出力することが可能である。さらに、サブ画像データの記録時と同様に、スイッチＳＷ２を切断動作させることにより、再生したサブ画像をモニタ１７に表示しないようにすることができる。この場合、モニタ１７には、メイン画像のみが表示されることになる。
【００５１】
なお、このビデオデータの再生時には、音声データも同時に再生されることもいうまでもない。
【００５２】
次に、本実施の形態におけるサブ画像の追加記録時の動作フローについて図５を参照しながら説明する。図５は図１のビデオ記録再生装置におけるサブ画像の追加記録時の動作を示すフローチャートである。
【００５３】
既に記録されているメイン画像に関連付けるサブ画像を追加記録するためのサブ画像記録モードが設定されると、図５に示すように、まずステップＳ１において、メモリ制御部１１の読出し制御によりＩＤ情報に基づき記録媒体６から再生対象となるメイン画像データを検索して読み出し、続くステップＳ２で読み出したメイン画像データの再生を開始する。
【００５４】
次いで、ステップＳ３において、再生したメイン画像データと撮像系１で撮像したサブ画像データとを加算器１５で加算してモニタ１７に出力し、モニタ１７に再生したメイン画像データと撮像系１で撮像したサブ画像データとを合成して表示する。続くステップＳ４では、サブ画像を記録するか否かを判定し、サブ画像を記録するときには、ステップＳ５に進み、サブ画像の記録を開始し、そして、ステップＳ６で、所望のサブ画像の記録が終了する指示を受けて記録を終了する。次いで、ステップＳ７に進み、メイン画像データの再生を停止するか否かを判定し、メイン画像データの再生を停止しないときには、再度上記ステップＳ３に進み、該ステップＳ３からの動作をメイン画像データの再生を停止するまで繰り返す。
【００５５】
これに対し、上記ステップＳ４でサブ画像の記録がされないと判定したときには、上記ステップＳ５，６をスキップしてステップＳ７に進み、メイン画像データの再生を停止しないときには、再度上記ステップＳ３に進み、該ステップＳ３からの動作をメイン画像データの再生を停止するまで繰り返す。
【００５６】
上記ステップＳ７でメイン画像データの再生を停止すると判定したときには、ステップＳ８に進み、メイン画像の再生を停止し、続くステップＳ９で、サブ画像記録モードを終了するか否かを判定し、サブ画像記録モードを終了しないときには、上記ステップＳ１に戻る。サブ画像記録モードを終了するときには、本動作を終了する。
【００５７】
次に、本実施の形態における再生動作フローについて図６を参照しながら説明する。図６は図１のビデオ記録再生装置における再生動作を示すフローチャートである。
【００５８】
再生モードが設定されると、図６に示すように、まずステップＳ１１において、メモリ制御部１１の読出し制御によりＩＤ情報に基づき記録媒体６から再生対象となるメイン画像データを検索し、続くステップＳ１２で再生するメイン画像データを決定する。
【００５９】
次いで、ステップＳ１３において、再生するメイン画像データのＩＤ情報に基づきこのメイン画像データに関連付けられたサブ画像データがあるか否かを判定し、関連付けられたサブ画像がないときには、ステップＳ２１に進み、メイン画像の再生を開始し、続くステップＳ２２で、メイン画像のみをモニタ１７に表示し、そしてステップＳ２３で、メイン画像データの終了に伴いメイン画像の再生を終了する。次いで、ステップＳ２０に進み、再生モードを終了する指示が出されたか否かを判定し、再生モードを終了する指示が出されていなければ、再度上記ステップＳ１１に戻り、再生モードを実行する。これに対し、再生モードを終了する指示が出されていると、本動作を終了する。
【００６０】
上記ステップＳ１３においてメイン画像データに関連付けられたサブ画像データがあると判定したときには、ステップＳ１４に進み、このメイン画像データのＩＤ情報に基づき関連付けられたサブ画像データを検索する。次いで、ステップＳ１５に進み、メイン画像データの再生を開始し、続くステップＳ１６でサブ画像データの再生を開始する。そして、ステップＳ１７において、再生されたメイン画像データとサブ画像データとを加算器１５により加算してモニタ１７に出力し、モニタ１７に再生したメイン画像とサブ画像とを合成して表示する。
【００６１】
次いで、ステップＳ１８でサブ画像データの再生を終了し、続くステップＳ１９でメイン画像データの再生を終了し、そしてステップＳ２０において、再生モードを終了する指示が出されたか否かを判定し、再生モードを終了する指示が出されていなければ、再度上記ステップＳ１１に戻り、再生モードを実行する。これに対し、再生モードを終了する指示が出されていると、本動作を終了する。
【００６２】
以上より、本実施の形態では、記録媒体６に既に記録されているメイン画像データに対して関連するサブ画像データを新たに追加記録するときには、メイン画像データの再生と並行してサブ画像データの記録を行うから、モニタ１７に表示されたメイン画像データを確認しながら関連付けるサブ画像データを撮影し、記録することができる。また、再生時には、ＩＤ情報のコントロール情報に基づきメイン画像データの再生と連動してサブ画像データの再生を行うから、メイン画像データに関連付けて記録したサブ画像データ記録状態を簡単に確認することができる。よって、サブ画像データの記録に関して高い自由度が得られるなど、優れた有用性を得ることができる。
【００６３】
また、サブ画像データの記録時または再生時には、スイッチＳＷ２の動作によりサブ画像データをモニタ１７に表示するか否かを選択することが可能であるから、ユーザが所望の表示形態、例えばメイン画像データのみの表示、メイン画像データとサブ画像データとを合成した表示などを選択して得ることができる。
【００６４】
さらに、サブ画像データを間引いて記録するから、記録媒体６の記録容量を無駄に消費することを抑制することができる。
【００６５】
（実施の第２形態）
次に、本発明の実施の第２形態について図７を参照しながら説明する。図７は本発明のビデオ記録再生装置の実施の第２形態の構成を示すブロック図である。
【００６６】
本実施の形態では、実施の第１形態に対し、メイン画像データに関連付けるサブ画像データを縮小せずに記録し、メイン画像データの再生に連動してサブ画像データを再生するときに、このサブ画像データを間引き処理に所定範囲内の縮小率に縮小してモニタに表示する点で異なる。
【００６７】
具体的には、ビデオ記録再生装置は、図７に示すように、撮像系５１と、撮像系５１から出力された電気信号をデジタル信号に変換し、該デジタル信号に所定の信号処理（画像処理、画質調整処理）を施してビデオデータを生成するカメラ信号処理回路５２とが設けられている。カメラ信号処理回路５２により生成されたビデオデータは圧縮回路５３、後述する加算器６５およ間引き回路６４に出力される。圧縮回路５３は、カメラ信号処理回路５２から入力されたビデオデータを所定の方式例えばＭＰＥＧ方式により圧縮する。
【００６８】
圧縮回路５３で圧縮されたビデオデータは、記録処理回路５４に入力される。また、記録処理回路５４には、ＩＤ情報発生回路５９により発生されたＩＤ情報が入力される。記録処理回路５４は、入力されたビデオデータとＩＤ情報とを調整して各データを所定の記録フォーマットに変換し、この所定の記録フォーマットに変換されたビデオデータおよびＩＤ情報はメモリ制御部６０の書込み制御により固体メモリからなる記録媒体５５へ記録される。
【００６９】
ここで、ＩＤ情報発生回路５９は、上述の実施の第１形態と同様の手順で同じ内容のＩＤ情報を発生する。また、アドレス管理部５８は、上述の実施の第１形態におけるアドレス管理部９に相当するものであり、その説明は省略する。メモリ制御部６０は、システムコントローラ５７からの指示に基づき記録媒体５５に対するビデオデータ、ＩＤ情報のそれぞれの書込み制御および読出し制御を行う。
【００７０】
メモリ制御部６０の読出し制御により記録媒体５５から読み出されたビデオデータは再生処理回路６１に入力され、再生処理回路１２は読み出されたビデオデータに対する再生処理を行う。ここで、記録媒体６からメイン画像データとそれに関連付けられているサブ画像データとがそれぞれ読み出されて再生されたときには、メイン画像データは伸張回路６２で、サブ画像データは伸張回路６３でそれぞれ伸張（解凍）される。伸張回路６２で伸張されたメイン画像データは加算器６５に入力され、伸張回路６３で伸張されたサブ画像データは間引き回路６４に入力される。また、記録時には、撮像計５１で撮像されたサブ画像データがカメラ信号処理回路５２を介して間引き回路６４に入力される。間引き回路６４は、システムコントローラ５７からの指示に基づき入力されたサブ画像データを指示された縮小率に縮小するように間引き処理を行い、この間引き処理が施されたサブ画像データはスイッチＳＷ３を介して加算器６５に入力される。スイッチＳＷ３は、サブ画像データをメイン画像データに合成して表示するときには、入り動作を行い、通常は断動作状態に保持されている。このスイッチＳＷ３の動作はシステムコントローラ５７により制御される。
【００７１】
加算器６５は、再生されたメイン画像データとスイッチＳＷ３の動作に応じて入力されたサブ画像データとを加算して出力する。加算器６５から出力されたビデオデータはＤＩＦ６８およびＤ／Ａ６６に入力される。ＤＩＦ６８は、ＩＥＥＥ１３９４などのデジタルインタフェースからなり、このインタフェースを介して端子６９から外部に加算器６５からのビデオデータを出力することが可能である。Ｄ／Ａ６６は、加算器６５からのビデオデータをアナログビデオ信号に変換してモニタ６７に出力する。
【００７２】
システムコントローラ５７は、指示入力部５６からの指示入力に基づき対応するモードを設定し、この設定されたモードを実行するように上述の各ブロックを制御する。この制御には、通常の記録制御、再生制御とともに、記録媒体６に既に記録されているメイン画像データの再生と並行してメイン画像データに関連するサブ画像データを追加記録するための制御と、記録媒体５５からメイン画像データとそれに対して関連するサブ画像データとを再生して同時に表示するための制御とが含まれている。
【００７３】
次に、記録媒体５５に既に記録されているメイン画像データの再生と並行してメイン画像データに関連するサブ画像データを追加記録する動作について説明する。
【００７４】
記録媒体５５に既に記録されているメイン画像データの再生と並行してメイン画像データに関連付けるサブ画像データを追加記録するときには、記録媒体５５からメイン画像データを再生しながらメイン画像データに関連付けられて記録する画像をサブ画像として撮像系５１で撮像し、このサブ画像データに対してカメラ信号処理回路５２で所定の信号処理を施した後に圧縮回路５３および間引き回路６４に入力する。間引き回路６４では、入力したサブ画像データに対して所定の縮小率になるように間引き処理が施され、この間引き処理が施されたサブ画像データはスイッチＳＷ３を介して加算器６５に入力される。再生されたメイン画像データは伸張回路６２で伸張された後に加算器６５に入力され、加算器６５は、伸張回路６２からのメイン画像データと間引き回路６４からスイッチＳＷ３を介して入力されたサブ画像データとを加算して合成画像データとして出力する。この合成画像データはＤＩＦ６８およびＤ／Ａ６６に入力され、Ｄ／Ａ６６からは合成画像データがアナログビデオ信号に変換されてモニタ６７に出力される。これにより、モニタ６７には、メイン画像とサブ画像とが合成されて表示されることになる。
【００７５】
これに対し、圧縮回路５３に入力されたサブ画像データはＭＰＥＧ方式により圧縮され、この圧縮されたデータは記録処理回路５４でＩＤ情報発生回路１０からのＩＤ情報との調整が図られた後に、ＩＤ情報とともにメモリ制御部６０の書込み制御により記録媒体６に記録される。
【００７６】
このように、サブ画像データの記録時には、サブ画像データをを間引き処理により縮小してモニタ６７に入力するから、このサブ画像を表示する際には、所望の率に縮小されたサブ画像をメイン画像に合成して表示することができる。
【００７７】
記録媒体５５からメイン画像データとサブ画像データとを同時に再生するときには、メモリ制御部６９の読出し制御によりＩＤ情報に基づき記録媒体５５から再生対象となるメイン画像データを検索し、それのＩＤ情報に含まれるコントロール情報に基づき対応するサブ画像データを抽出する。読み出されたメイン画像データとサブ画像データとは再生処理回路６１で分配されて対応する伸張回路６２，６３にそれぞれ入力される。メイン画像データは伸張回路６２で伸張（解凍）された後に加算器６５に、サブ画像データは伸張回路６３で伸張（解凍）された後に間引き回路６４にそれぞれ入力される。間引き回路６４では、入力されたサブ画像データに対して間引き処理を施し、間引き処理が施されたサブ画像データは、スイッチＳＷ３を介して加算器６５に入力される。加算器６５では、メイン画像データとサブ画像データとを加算して合成画像データとして出力する。加算器６５から出力された合成画像データはＤ／Ａ６６によりアナログビデオ信号に変換された後にモニタ６７に出力され、モニタ６７には、メイン画像と縮小されたサブ画像１０３とが合成して表示される。また、合成画像データがＤＩＦ６８に出力されていることにより、ＤＩＦ６８を介して端子６９からメイン画像データとサブ画像データとを合成したデータを外部に出力することが可能である。
【００７８】
このように、再生時には、記録媒体５５に縮小されずに記録されたサブ画像データを間引き処理により縮小して再生するから、再生されたメイン画像に所望の率に縮小されたサブ画像データを合成して表示することができる。
【００７９】
【発明の効果】
以上説明したように、本発明によれば、再生されたメイン情報を確認しながら関連するサブ情報を記録することが可能になるとともに、また再生時には、メイン情報に関連付けて記録したサブ情報の記録状態を簡単に確認することが可能になり、記録に関して高い自由度が得られるなど、優れた有用性を得ることができる。また、コントロール情報によりメイン情報とサブ情報との対応付けを正確かつ容易に行うことができる。
【図面の簡単な説明】
【図１】本発明のビデオ記録再生装置の実施の第１形態を示す外観図である。
【図２】図１のビデオ記録再生装置の構成を示すブロック図である。
【図３】図２の記録媒体におけるデータ記録状態とそのデータ構成を示す図である。
【図４】メイン画像とサブ画像の表示例を示す図である。
【図５】図１のビデオ記録再生装置におけるサブ画像の追加記録時の動作を示すフローチャートである。
【図６】図１のビデオ記録再生装置における再生動作を示すフローチャートである。
【図７】本発明のビデオ記録再生装置の実施の第２形態の構成を示すブロック図である。
【符号の説明】
１，５１  撮像系
３，６４  間引き回路
５，５４  記録処理回路
６，５５  記録媒体
８，５７  システムコントローラ
９，５８  アドレス管理部
１０，５９  ＩＤ情報発生回路
１１，６０  メモリ制御部
１２，６１  再生処理回路
１５，６５  加算器
１７，６７  モニタ
ＳＷ２，ＳＷ３  スイッチ
【図１】
0004058154.tif 000002
【図２】
0004058154.tif 000003
【図３】
0004058154.tif 000004
【図４】
0004058154.tif 000005
【図５】
0004058154.tif 000006
【図６】
0004058154.tif 000007
【図７】
0004058154.tif 000008